(57)【要約】【課題】  通信端末を介してアドレスを取得する端末が、該通信装置がアドレスを取得する通信方法に応じて、コンフィグ変更やファームウェア変更を行う必要がある。【解決手段】  本発明の通信装置は、端末から第１の通信形式により接続の要求を受ける第１の通信部と、ネットワークから第２の通信形式によりアドレスの通知を受ける第２の通信部と、前記第１の通信部が前記接続の要求を受けたことに応じて、前記第２の通信形式により、前記第２の通信部を介してアドレスを取得する接続部と、を有し、前記接続部は、前記ネットワークから取得した前記アドレスを、前記第１の通信形式により前記端末に通知するものである。【選択図】      図１
2014236378.tif 000002
【特許請求の範囲】
【請求項１】
端末から第１の通信形式により接続の要求を受ける第１の通信部と、
ネットワークから第２の通信形式によりアドレスの通知を受ける第２の通信部と、
前記第１の通信部が前記接続の要求を受けたことに応じて、前記第２の通信形式により、前記第２の通信部を介してアドレスを取得する接続部と、を有し、
前記接続部は、前記ネットワークから取得した前記アドレスを、前記第１の通信形式により前記端末に通知する
ことを特徴とする通信装置。
【請求項２】
前記接続部は、
前記ネットワークと前記第２の通信部との間の通信形式を判定し、前記第２の通信形式として前記判定した通信形式により、前記アドレスを取得する
ことを特徴とする請求項１に記載の通信装置。
【請求項３】
前記第２の通信部は、モデムを介して、前記ネットワークと接続し、
前記接続部は、前記モデムの接続形式に対応する前記第２の通信方式により、アドレスを取得する
ことを特徴とする請求項１又は２に記載の通信装置。
【請求項４】
前記接続部は、前記モデムの接続形式がＰＰＰ接続であることに応じて、前記第２の通信形式としてＩＰＣＰによりアドレスを取得し、前記モデムの接続形式がＮＤＩＳ接続であることに応じて、前記第２の通信形式としてＤＨＣＰによりアドレスを取得する
ことを特徴と請求項３に記載の通信装置。
【請求項５】
前記接続部は、前記モデムの接続形式を判定し、前記判定したモデムの接続形式に対応する前記第２の通信形式により、アドレスを取得する
ことを特徴とする請求項３又は４に記載の通信装置。
【請求項６】
前記ネットワークから取得したアドレスを記憶する記憶部をさらに有し、
前記接続部は、前記記憶部に記憶したアドレスを前記端末に通知する
ことを特徴とする請求項１乃至５のいずれか１項に記載の通信装置。
【請求項７】
前記第１の通信部は、前記接続の要求として、アドレスの要求を受け、
前記接続部は、前記端末に前記アドレスを通知するまでに前記アドレスの要求を再度受けたことに応じて、前記記憶部に記憶したアドレスを前記端末に通知する
ことを特徴とする請求項６に記載の通信装置。
【請求項８】
前記第１の通信部は、前記接続の要求として、アドレスの要求を受け、
前記接続部は、前記端末に前記アドレスを通知するまでに前記アドレスの要求を再度受けたことに応じて、前記端末に対してアドレスの要求に応答できないことを通知する
ことを特徴とする請求項１乃至７のいずれか１項に記載の通信装置。
【請求項９】
請求項１乃至請求項８のいずれか１項に記載の通信装置と、
前記端末と、を含むことを特徴とする通信システム。
【請求項１０】
端末から第１の通信形式により接続の要求を受け、
前記接続の要求を受けたことに応じて、ネットワークから第２の通信形式によりアドレスを取得し、
前記取得したアドレスを、前記第１の通信形式により前記端末に通知する
ことを特徴とする通信方法。
【発明の詳細な説明】
【技術分野】
【０００１】
本発明は、通信装置、通信システム、通信装置の通信方法及びプログラムに関する。特に、端末にネットワークへ接続する機能を提供する通信装置、通信システム、通信装置の通信方法及びプログラムに関する。
【背景技術】
【０００２】
端末をネットワークと接続させるために、該端末に対して例えば３Ｇ等のモデム通信機能を有する通信装置をアダプタとして接続し、該通信装置を介して該端末とネットワークとを接続する技術がある。
【０００３】
ネットワークとの接続は、例えば、ＰＰＰｏＥ（Ｐｏｉｎｔ−ｔｏ−Ｐｏｉｎｔ  Ｐｒｏｔｏｃｏｌ  ｏｖｅｒ  Ｅｔｈｅｒｎｅｔ（なお、Ｅｔｈｅｒｎｅｔは登録商標である））や、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）など、複数の方法により実現できる。ネットワークと接続する通信装置は、ネットワークとの接続状態を判定し、適切な方法によりネットワークと接続する。
【０００４】
特許文献１は、ネットワーク自動接続装置が、接続するインターネットの状態を判定し、適切な通信形式に自動的に設定する技術の一例を開示する。特許文献１に記載のネットワーク自動接続装置は、広域ネットワークに対してＰＰＰｏＥによるパケット送信要求とＤＨＣＰによるパケット送信要求とを行い、該広域ネットワークからの応答がＰＰＰｏＥかＤＨＣＰかに応じて、動作モードをいずれかの一方のモードに設定する。これによって、特許文献１に記載のネットワーク自動接続装置は、さまざまなインターネット接続サービスの状態に応じて、通信形式を自動的に設定することができる。
【０００５】
また、ネットワークと通信装置との間の通信形式と、通信装置と端末との間の通信形式とが異なる場合、通信形式が異なることが要因となり、端末がネットワークに接続できない場合がある。そのため、通信装置は、両者の通信形式を互いに変換するための機能を提供し、端末がネットワークに接続できるようにする必要がある。
【０００６】
特許文献２は、情報端末と接続する携帯通信端末が、ネットワークと接続する無線通信部で使用される制御コマンドと、情報端末との通信に使用される制御コマンドとの変換を行う技術の一例を開示する。具体的には、特許文献２に記載の携帯通信端末は、ネットワークから受信したデータを無線ＬＡＮで定義されたパケット列に構成又は分解するための手段を有し、情報端末との間で無線ＬＡＮ（Ｌｏｃａｌ  Ａｒｅａ  Ｎｅｔｗｏｒｋ）で定義されたパケットにより通信する。そのため、情報端末は、いつでも無線ＬＡＮのパケットを用いて携帯通信端末と通信することができ、統一したデータ処理が可能となる。
【先行技術文献】
【特許文献】
【０００７】
【特許文献１】特開２００６−１４１６９号公報
【特許文献２】特開２００４−４０１４７号公報
【発明の概要】
【発明が解決しようとする課題】
【０００８】
ところで、ネットワークと通信装置を介して通信する端末は、該通信を行うにあたり、ネットワークからアドレスを取得する必要がある。ネットワークからアドレスを取得する処理は、通信方法が異なることに応じて、アドレスの取得のために送受信するパケットの数やタイミングが異なる。
【０００９】
特許文献１において、ネットワーク自動接続装置は、広域ネットワークからの応答がＰＰＰｏＥかＤＨＣＰかに応じて、動作モードをいずれかの一方のモードに設定する。そのため、ネットワーク自動接続装置に接続する端末は、ネットワーク自動接続装置が設定したモードによって、ネットワークからアドレスを取得する必要がある。なぜなら、端末は、ネットワーク自動接続装置が設定したモードと異なるモードを用いると、アドレスの取得のために送受信するパケットの数やタイミングの違いが要因となり、ネットワークからアドレスを取得できないためである。特許文献１において、ネットワーク自動接続装置が設定したモードがＤＨＣＰの場合、ＰＰＰｏＥの通信形式に設定されていた端末は、モードをＤＨＣＰに変更して、アドレスを取得する必要がある。このように、特許文献１において、ネットワーク自動接続装置に接続する端末は、アドレスを取得する際に、該ネットワーク自動接続装置が設定したモードに応じて、コンフィグ変更やファームウェア変更を行う必要がある。このことは、端末の負荷が増大する要因となる。
【００１０】
また、特許文献２は、情報端末と接続する携帯通信端末が、該情報端末に転送するデータを、無線ＬＡＮで定義されたパケット列に構成又は分解することを開示する。しかしながら、情報端末に転送するデータを無線ＬＡＮで定義されたパケット列に構成又は分解するだけでは、アドレスの取得のために送受信するパケットの数やタイミングの違いには対応できない。そのため、特許文献２に記載の情報端末も、携帯通信端末がアドレスを取得する通信方法に応じて、コンフィグ変更やファームウェア変更を行う必要がある。このことは、情報端末の負荷が増大する要因となる。
【００１１】
本発明は、上述した課題を解決し、通信装置を介してアドレスを取得する端末のコンフィグ変更やファームウェア変更を不要とし、該端末の負荷の増大を抑制することを可能とする通信装置等を提供することを目的とする。
【課題を解決するための手段】
【００１２】
本発明の通信装置は、端末から第１の通信形式により接続の要求を受ける第１の通信部と、ネットワークから第２の通信形式によりアドレスの通知を受ける第２の通信部と、前記第１の通信部が前記接続の要求を受けたことに応じて、前記第２の通信形式により、前記第２の通信部を介してアドレスを取得する接続部と、を有し、前記接続部は、前記ネットワークから取得した前記アドレスを、前記第１の通信形式により前記端末に通知するものである。
【００１３】
本発明の通信システムは、第１の通信形式により接続を要求する端末と、前記端末から前記接続の要求を受ける第１の通信部と、ネットワークから第２の通信形式によりアドレスの通知を受ける第２の通信部と、前記第１の通信部が前記接続の要求を受けたことに応じて、前記第２の通信形式により前記第２の通信部を介してアドレスを取得し、前記取得したアドレスを前記第１の通信形式により前記端末に通知する接続部と、を有する通信装置と、を含むものである。
【００１４】
本発明の通信方法は、端末から第１の通信形式により接続の要求を受け、前記接続の要求を受けたことに応じて、ネットワークから第２の通信形式によりアドレスを取得し、前記取得したアドレスを、前記第１の通信形式により前記端末に通知するものである。
【００１５】
本発明のプログラムは、端末から第１の通信形式により接続の要求を受ける処理と、ネットワークから第２の通信形式によりアドレスを取得する処理と、前記接続の要求を受けたことに応じて、ネットワークから第２の通信形式により、アドレスを取得するための処理を実行する処理と、前記取得したアドレスを、前記第１の通信形式により、前記端末に通知する処理とをコンピュータに実行させるものである。
【発明の効果】
【００１６】
本発明は、通信装置を介してアドレスを取得する端末が、コンフィグ変更やファームウェア変更を行う必要がないので、該端末の負荷の増大を抑制できるという効果がある。
【図面の簡単な説明】
【００１７】
【図１】本発明の一実施形態の通信装置の構成例を示す図である。
【図２】本発明の第１の実施形態における通信システムの例を示す図である。
【図３】本発明の第１の実施形態における通信装置の構成例を示す図である。
【図４】本発明の第１の実施形態における動作例を示すシーケンス図である。
【図５】本発明の第１の実施形態における通信装置の動作例を示すフローチャートである。
【図６】本発明の第２の実施形態における通信装置の構成例を示す図である。
【図７】本発明の第３の実施形態における通信装置の構成例を示す図である。
【図８】本発明の第３の実施形態におけるモデム接続部の動作例を示すフローチャートである。
【図９】本発明の第３の実施形態における動作例を示すシーケンス図である。
【図１０】本発明の第３の実施形態における他の動作例を示すシーケンス図である。
【図１１】本発明の第４の実施形態におうける通信システムの例を示す図である。
【発明を実施するための形態】
【００１８】
はじめに、図１を用いて、本発明の一実施形態の概要について説明する。なお、この概要に付記した図面参照符号は、理解を助けるための一例として各要素に便宜上付記したものであり、この概要の記載はなんらの限定を意図するものではない。
【００１９】
図１は、本発明の一実施形態における通信装置である。図１に示す通信装置１は、例えば、端末と接続され、該端末とネットワークとの接続を中継する。図１に示す通信装置１は、例えば、３Ｇ等のモデム通信機能を有し、端末をネットワークと接続するために、該端末にアダプタとして接続される。
【００２０】
図１に示す通信装置１は、端末と接続する第１の通信部１０と、接続部１１と、ネットワークと接続する第２の接続部を有する。
【００２１】
第１の通信部１０は、複数の通信形式の少なくとも１つにより、端末と接続する機能を有する。なお、図１において、第１の通信部１０が１つの例を示しているが、第１の通信部１０は１つに限られない。第１の通信部１０は、例えば、複数の通信形式のそれぞれに対して設けられてもよい。通信形式は、例えば、ＰＰＰ（Ｐｏｉｎｔ−ｔｏ−Ｐｏｉｎｔ  Ｐｒｏｔｏｃｏｌ）、ＰＰＰｏＥ又はＤＨＣＰなどである。なお、通信形式は、これらの方法に限られず第１の通信部１０が端末に接続する方法であればどのような方法であってもよい。
【００２２】
第２の通信部１２は、複数の通信形式の少なくとも１つを用いて、ネットワークと接続する機能を有する。なお、図１において、第２の通信部１２が１つの例を示しているが、第２の通信部１２は１つに限られない。第２の通信部１２は、例えば、複数の通信形式ごとに、複数設けられてもよい。通信形式は、例えば、ＰＰＰ、ＰＰＰｏＥ又はＤＨＣＰなどである。なお、通信形式は、これらの方法に限られず、ネットワークと接続する方法であればどのような方法であってもよい。
【００２３】
また、第２の通信部１２がモデムを介してネットワークと接続する場合、該第２の通信部１２は、複数の接続形式の少なくとも１つを用いてモデムと接続してもよい。モデムと接続する形式は、例えば、ＰＰＰ接続やＮＤＩＳ（Ｎｅｔｗｏｒｋ  Ｄｒｉｖｅｒ  Ｉｎｔｅｒｆａｃｅ  Ｓｐｅｃｉｆｉｃａｔｉｏｎ）接続である。なお、モデムと接続する形式は、これらの接続形式に限られず、どのような形式であってもよい。
【００２４】
接続部１１は、端末から第１の通信形式による接続の要求を受ける機能を有する。第１の通信形式は、端末と第１の通信部１０とが接続する際に用いる通信形式である。なお、接続の要求は、第１の通信形式において通信を開始する際に行う処理であり、例えば、セッションの開始の要求であってもよいし、アドレスの要求であってもよい。
【００２５】
また、接続部１１は、端末から接続の要求があったことに応じて、第２の通信形式を用いて、第２の通信部１２を介してネットワークからアドレスを取得する処理（アドレス解決）を実行する機能を有する。第２の通信形式は、ネットワークと第２の通信部１２とが接続する際に用いる通信形式である。
【００２６】
また、第２の通信形式は、第２の通信部１２がモデムと接続する場合、モデムと接続する形式に対応した通信形式であってもよい。接続部１１は、例えば、モデムと接続する形式がＰＰＰ接続の場合、第２の通信形式としてＩＰＣＰ（Ｉｎｔｅｒｎｅｔ  Ｐｒｏｔｏｃｏｌ  Ｃｏｎｔｒｏｌ  Ｐｒｏｔｏｃｏｌ）を用いて、アドレスを取得する処理を行う。また、接続部１１は、例えば、モデムと接続する形式がＮＤＩＳ接続の場合、第２の通信形式としてＤＨＣＰを用いて、アドレスを取得する処理を行う。
【００２７】
さらに、接続部１１は、ネットワークからアドレスを取得したことに応じて、第１の通信形式により、第１の通信部１０を介して、端末に対して取得したアドレスを通知する機能を有する。
【００２８】
上記のとおり、本発明の一実施形態において、通信装置１は、第１の通信形式による端末からの接続要求に応じて、ネットワークとの間で第２の通信形式を用いたアドレス解決を行う。そして、通信装置１は、ネットワークから取得したアドレスを、第１の通信形式を用いて端末に対して通知する。そのため、端末は、通信装置１がネットワークからアドレスを取得する際に用いる第２の通信形式によらず、第１の通信形式を用いて、アドレスを要求・取得できる。したがって、本発明の一実施形態において、端末は、コンフィグ変更やファームウェア変更を行うことなく、通信装置を介してアドレスを取得することができる。
【００２９】
以下、具体的な実施の形態について、図面を参照して説明する。
【００３０】
＜第１の実施形態＞
本発明の第１の実施形態に関する通信システムは、図２に示すように、通信装置１、端末２、ネットワーク３を含む。
【００３１】
なお、本発明の第１の実施形態において、本発明の一実施形態と同様の構成については、説明を省略する。
【００３２】
本発明の第１の実施形態の端末２は、例えば、携帯電話、スマートフォン、パーソナルコンピュータ、タブレット型端末、サーバ等である。また、本発明の第１の実施形態の端末は、例えば、通信機能を有さない端末であってもよい。
【００３３】
本発明の第１の実施形態の通信装置１は、端末２と接続され、端末２とネットワーク３との接続を中継する装置である。通信装置１は、例えば、３Ｇ等のモデム通信機能を有し、端末２をネットワーク３と接続するために、端末２にアダプタとして接続される装置であってもよい。なお、図２において、通信装置１は、例えば、モデム等の装置（図示しない）を介してネットワーク３に接続してもよい。
【００３４】
図３は、本発明の第１の実施形態における通信装置１の構成例を示す。
【００３５】
通信装置１は、第１の通信部１０と、接続部１１と、第２の通信部１１を有する。
【００３６】
接続部１１は、図３に示すように、種別判定部１１０と、接続処理部１１１とを有する。
【００３７】
種別判定部１１０は、例えば、第２の通信部１２とネットワーク３との間の通信形式を判定する。
【００３８】
種別判定部１１０は、例えば、第１の通信方式によりネットワーク３との接続を試みて、該第１の方式によりネットワーク３から、例えば応答パケット等が通知された場合は、第２の通信部１２とネットワーク３との間の通信形式を第１の通信方式と判定する。種別判定部１１０は、例えば、第１の通信方式ではネットワーク３からの応答パケット等が通知されない場合、第２の通信方式によりネットワーク３との接続を試みる。そして、種別判定部１１０は、第２の方式によりネットワーク３から応答パケット等が通知された場合は、第２の通信部１２とネットワーク３との間の通信形式を第１の通信方式と判定する。
【００３９】
種別判定部１１０は、例えば、まずＰＰＰｏＥによりセッションを開始するための通知（パケット）をネットワーク３に送信し、ネットワーク３との接続を試みる。種別判定部１１０は、例えば、ネットワーク３から応答があった場合に、通信形式をＰＰＰｏＥと判別する。種別判定部１１０は、例えば、ネットワーク３から応答がない場合は、次にＤＨＣＰによりセッションを開始するための通知（パケット）をネットワーク３に送信し、ネットワーク３との接続を試みる。種別判定部１１０は、例えば、ネットワーク３から応答があった場合に、通信形式をＤＨＣＰと判別する。なお、種別判定部１１０は、先に、ＤＨＣＰによりセッションを開始するための通知（パケット）をネットワーク３に送信し、ネットワーク３との接続を試みてもよい。
【００４０】
また、種別判定部１１０は、例えば、ネットワーク３からの自発的な通知により、ネットワーク３の通信方式を判定してもよい。種別判定部１１０は、例えば、ネットワーク３に含まれるアドレスを通知する装置からセッション開始の通知（パケット）を受け取ったことに応じて、第２の通信部１２とネットワーク３との間の通信方式を判定してもよい。種別判定部１１０は、例えば、ＤＨＣＰサーバからセッション開始の通知を受け取ったことに応じて、第２の通信部１２とネットワーク３との通信方式をＤＨＣＰと判定してもよい。また、種別判定部１１０は、例えば、ＰＰＰｏＥサーバからのセッション開始の通知（パケット）を受け取ったことに応じて、第２の通信部１２とネットワーク３との通信方式をＰＰＰｏＥと判定してもよい。
【００４１】
なお、種別判定部１１０が、ネットワーク３との間の通信方式を判定する方法は、前述した例に限られず、例えば、種別判定部１１０が、ネットワーク３との間の通信方式に対応するデバイスドライバを使用可能である（デバイスドライバをオープンできる）ことに応じて、ネットワーク３との間の通信方式を判定してもよい。通信装置１が、ネットワーク３との間でＮＤＩＳ方式により接続する場合、カーネル起動時に、ＮＤＩＳ方式のデバイスドライバが自動的に組み込まれる。種別判定部１１０は、例えば、この自動的に組み込まれたＮＤＩＳ方式のデバイスドライバを使用可能である（オープンできる）ことに応じて、ネットワーク３との間の通信方式をＮＤＩＳ方式と判定することができる。
【００４２】
種別判定部１１０は、例えば、第２の通信部１２が、ＰＰＰｏＥによりネットワーク３と接続する場合、第２の通信部１２とネットワーク３との間の通信形式をＰＰＰｏＥと判別する。種別判定部１１０は、例えば、第２の通信部１２が、ＤＨＣＰによりネットワーク３と接続する場合、第２の通信部１２とネットワーク３との間の通信形式をＤＨＣＰと判別する。
【００４３】
また、種別判定部１１０は、例えば、通信装置１がモデム（図示なし）を介してネットワーク３と接続する場合、該モデムの接続形式を判定してもよい。この場合において、種別判定部１１０は、該モデムのデバイスＩＤ（Ｉｄｅｎｔｉｆｉｅｒ）に基づいて、該モデムの接続形式を判定してもよい。種別判定部１１０は、例えば、第２の通信部１２と接続するモデムのデバイスＩＤに基づいて、モデムの接続形式がＰＰＰ接続であると判別する。また、種別判定部１１０は、例えば、第２の通信部１２と接続するモデムのデバイスＩＤに基づいて、モデムの接続形式をＮＤＩＳ接続であると判別する。
【００４４】
接続処理部１１１は、種別判定部１１０が判定した通信形式、又は、判定した接続形式に対応する通信形式により、第２の通信部を介してネットワーク３（又はモデム）と接続する。
【００４５】
また、接続処理部１１１は、第１の通信部を介して、端末２から第１の通信形式による接続の要求を受ける機能を有する。第１の通信形式は、端末２と第１の通信部１０とが接続する際に用いる通信形式である。なお、接続の要求は、第１の通信形式において通信を開始する際に行う処理であり、例えば、セッションの開始の要求であってもよいし、アドレスの要求であってもよい。
【００４６】
また、接続処理部１１１は、端末２から接続の要求があったことに応じて、種別判定部１１０が判定した通信形式（第２の通信形式）を用いて、第２の通信部１２を介して、ネットワーク３からアドレスを取得する処理（アドレス解決）を実行する機能を有する。なお、種別判定部１１０が、モデムの接続形式を判定する場合、接続処理部１１１は、判定したモデムの接続形式に対応する通信形式（第２の通信形式）により、ネットワーク３との間でアドレス解決を実行する。
【００４７】
さらに、接続処理部１１１は、ネットワーク３からアドレスを取得したことに応じて、第１の通信形式により、第１の通信部１０を介して、端末２に取得したアドレスを通知する機能を有する。
【００４８】
図４は、本発明の第１の実施形態の動作例を示すシーケンス図である。
【００４９】
本発明の第１の実施形態において、端末２は、第１の通信形式により、接続の要求を行う（Ｓ００１）。
【００５０】
接続の要求を受けた通信装置１は、ネットワーク３との間で第２の通信形式を用いてアドレスを取得する処理（アドレス解決）を実行する（Ｓ００２）。
【００５１】
通信装置１は、アドレス解決の結果としてネットワーク３からアドレスを取得したことに応じて、端末２が用いる第１の通信形式により、端末２に対して取得したアドレスを通知する（Ｓ００３）。
【００５２】
図５は、本発明の第１の実施形態における、通信装置１の動作例を示すフローチャートである。
【００５３】
本発明の第１の実施形態において、接続部１１の接続処理部１１１は、第１の通信形式により、第１の通信部１０を介して、端末２から接続の要求を受ける（Ｓ１０１）。
【００５４】
接続部１１の種別判定部１１０は、端末２から接続の要求を受けたことに応じて、第２の通信部１２とネットワーク３との間の通信形式を判定する（Ｓ１０２）。なお、種別判定部１１０は、例えば、通信装置１がモデム（図示なし）を介してネットワーク３と接続する場合、該モデムの接続形式を判定してもよい。
【００５５】
接続部１１の接続処理部１１１は、種別判定部１１０が判定した通信形式（第２の通信形式）を用いて、第２の通信部１２を介して、ネットワーク３との間でアドレスを所得するための処理（アドレス解決）を実行する（Ｓ１０３）。なお、種別判定部１１０が、モデムの接続形式を判定する場合、接続処理部１１１は、判定したモデムの接続形式に対応する通信形式（第２の通信形式）により、ネットワーク３との間でアドレス解決を実行する。
【００５６】
接続部１１の接続処理部１１１は、アドレス解決の結果として、ネットワーク３からアドレスを取得する（Ｓ１０４）。
【００５７】
接続部１１の接続処理部１１１は、アドレスを取得したことに応じて、端末２が用いる第１の通信形式により、第１の通信部１０を介して、端末２に対して取得したアドレスを通知する（Ｓ１０５）。
【００５８】
上記のとおり、本発明の第１の実施形態において、通信装置１は、第１の通信形式を用いた端末２からの接続要求に応じて、ネットワーク３との間で第２の通信形式を用いてアドレス解決を行う。そして、通信装置１は、ネットワーク３から取得したアドレスを、第１の通信形式を用いて端末２に対して通知する。そのため、端末２は、通信装置１がネットワーク３との通信形式（第２の通信形式）によらず、第１の通信形式を用いて、アドレスを要求・取得できる。
【００５９】
したがって、本発明の第１の実施形態において、端末２は、通信装置１がアドレス解決の際にネットワーク３との間で用いる通信形式（第２の通信形式）に応じてコンフィグ変更やファームウェア変更を行うことなく、アドレスを取得することができる。
【００６０】
＜第２の実施形態＞
本発明の第２の実施形態について、図面を参照して説明する。第２の実施形態では、通信装置１が、ネットワーク３から通知されたアドレスを記憶する記憶部を有する。
【００６１】
本発明の第２の実施形態の通信装置１は、アドレスを記憶する記憶部を有するので、通信形式が異なることにより、ネットワーク３からアドレスを取得するタイミングと、端末２に対してアドレスを通知するタイミングとが異なる場合であっても、端末２に対して適切なタイミングでアドレスを通知することが可能になる。
【００６２】
なお、本発明の第２の実施形態において、本発明の一実施形態、又は、第１の実施形態と同様の構成については、説明を省略する。
【００６３】
図６は、本発明の第２の実施形態における、通信装置１の構成例を示す。
【００６４】
本発明の第２の実施形態において、通信装置１は、ネットワーク３から取得したアドレスを記憶する記憶部１３を有する。
【００６５】
記憶部１３は、ネットワーク３から取得したアドレスを記憶する機能を提供する。なお、記憶部１３は、アドレスだけを記憶してもよいし、アドレスと他の情報とを対応づけて記憶してもよく、例えば、ネットワーク３から取得したアドレスと、通信装置１とネットワーク３（又はモデム）との間の通信形式とを対応して記憶してもよい。
【００６６】
通信装置１の接続処理部１１１は、ネットワーク３からアドレスを取得したことに応じて、記憶部１３に取得したアドレスを記憶する。また、接続処理部１１１は、端末２が用いる第１の通信形式により、記憶部１３に記憶したアドレスを、端末２に通知する。
【００６７】
接続処理部１１１は、端末２が用いる第１の通信形式において、適切なタイミングで記憶部１３に記憶したアドレスを通知する。接続処理部１１１は、例えば、ネットワーク３からアドレスを取得した後、端末２からアドレスの要求を再度受けた後に、記憶部１３に記憶したアドレスを通知してもよい。接続処理部１１１は、例えば、ネットワーク３からアドレスを取得した後、端末２との間で接続の確立のための処理が完了した後に、記憶部１３に記憶したアドレスを通知してもよい。
【００６８】
上記のとおり、本発明の第２の実施形態において、通信装置１はアドレスを記憶する記憶部１３を有するため、ネットワーク３から取得したアドレスを記憶することができ、端末２に対して適切なタイミングでアドレスを通知することができる。
【００６９】
＜第３の実施形態＞
本発明の第３の実施形態について、図面を参照して説明する。第３の実施形態では、通信装置１が、接続部１１としてモデム接続機能部１４を、記憶部１３としてＩＰアドレス記憶部１５とを有する。また、本発明の第３の実施形態では、通信装置１は、種別判定部１１０としてモデム種別判定部１４０を、接続処理部１１１としてモデム接続処理部１４１とを有する。
【００７０】
また、本発明の第３の実施形態では、通信装置１の第１の通信部及び第２の通信部は、それぞれＰＰＰｏＥ機能部又はＤＨＣＰ機能部として機能する。
【００７１】
本発明の第３の実施形態の通信装置１は、これらの構成を有するので、ＰＰＰ−ＤＨＣＰ変換アダプタとして機能することができる。したがって、通信装置１が接続するＰＰＰ接続やＮＤＩＳ接続等のモデムの接続形式に応じて、端末２がコンフィグ変更やファームウェア変更を行うことなく、ネットワーク３からアドレスを取得することが可能となる。
【００７２】
なお、本発明の第３の実施形態において、本発明の一実施形態、第１の実施形態、又は、第２の実施形態と同様の構成については、説明を省略する。
【００７３】
図７は、本発明の第３の実施形態における、通信装置１の構成例を示す図である。
【００７４】
図７に示すように、本発明の第３の実施形態における通信装置１は、第１の通信部１０と、第２の通信部１２と、モデム接続機能部１４と、ＩＰアドレス記憶部１５とを有する。
【００７５】
第１の通信部１０は、複数の通信形式の少なくとも１つを用いて、端末２と接続する機能を有する。第１の通信部１０は、例えば、端末２との通信形式がＰＰＰｏＥである場合、ＰＰＰｏＥ機能部として機能する。また、第１の通信部１０は、例えば、端末２との通信形式がＤＨＣＰである場合、ＤＨＣＰ機能部として機能する。
【００７６】
なお、第１の通信部１０は、例えば、端末２からの認証処理を終端する機能を有する。
【００７７】
第２の通信部１２は、複数の接続形式の少なくとも１つを用いて、モデムを介してネットワーク３と接続する機能を有する。第２の通信部１２は、例えば、モデムの接続形式がＰＰＰ接続である場合、ＰＰＰｏＥ機能部として機能する。第２の通信部１２は、例えば、モデムの接続形式がＮＤＩＳ接続である場合、ＨＤＣＰ機能部として機能する。
【００７８】
図７に示すように、モデム接続機能部１４は、モデム種別判定部１４０と、モデム接続処理部１４１とを有する。
【００７９】
モデム種別判定部１４０は、モデムの接続形式の種別を判定する機能を有する。モデム接続機能部１４は、モデムが接続されていることを検知（Ａｔｔａｃｈ）したことに応じて、該モデムのデバイスＩＤを読み出す。そして、モデム種別判定部１４０は、読み出したデバイスＩＤに基づいて、モデムの接続形式の種別を判定する。モデム種別判定部１４０は、例えば、モデムの接続形式の種別をＰＰＰ接続であると判定する。モデム種別判定部１４０は、例えば、モデムの接続形式の種別をＮＤＩＳ接続であると判定する。なお、モデムの接続形式の種別は、ＰＰＰ接続やＮＤＩＳ接続に限られず、モデムの接続形式の種別であれば、どのようは接続であってもよい。
【００８０】
モデム接続処理部１４１は、モデム種別判定部１４０により判定された接続形式の種別に基づいて、モデムへの接続を実行する。
【００８１】
また、モデム接続処理部１４１は、モデム種別判定部１４０がモデムの接続形式をＮＤＩＳ接続と判定した場合、ＤＨＣＰによるアドレスの取得（アドレス解決）を行う。また、モデム接続処理部１４１は、モデム種別判定部１４０がＰＰＰ接続と判定した場合、ＩＰＣＰによるアドレスの取得（アドレス解決）を行う。
【００８２】
図８は、本発明の第３の実施形態におけるモデム接続機能部１４の動作例を示すフローチャートである。
【００８３】
図８に示すように、通信装置１にモデムが接続したことに応じて、モデム接続機能部１４のモデム種別判定部１４０は、モデムが接続されたことを検知する（Ｓ２０１）。
【００８４】
モデム接続機能部１４のモデム種別判定部１４０は、モデムが接続されたことを検知したことに応じて、モデムのＩＤを読み出し（Ｓ２０２）、モデムの接続形式の種別を判定する（Ｓ２０３）。
【００８５】
モデム接続処理部１４１は、端末２に対して、第１の通信部１０を介して、ネットワーク３から取得したアドレスを通知する。なお、モデム接続処理部１４１は、ネットワーク３からアドレスを取得したことに応じて、取得したアドレスをＩＰアドレス記憶部１５に記憶してもよい。この場合、モデム接続処理部１４１は、端末２に対して、ＩＰアドレス記憶部１５に記憶したアドレスを通知する。
【００８６】
ＩＰアドレス記憶部１５は、ネットワーク３から取得したアドレスを記憶する。ＩＰアドレス記憶部１５は、モデム接続処理部１４１がＩＰアドレス取得を完了したことに応じて、取得したＩＰアドレスを記憶する。
【００８７】
図９は、本発明の第３の実施形態の動作例を示すシーケンス図である。
【００８８】
図９のシーケンス図は、通信装置１と端末２との間の通信形式はＰＰＰｏＥであり、モデムの接続形式はＮＤＩＳ接続である場合の動作例である。
【００８９】
本発明の第３の実施形態において、通信装置１とＰＰＰｏＥにより接続する端末２は、ＰＡＤＩ（Ｔｈｅ  ＰＰＰｏＥ  Ａｃｔｉｖｅ  Ｄｉｓｃｏｖｅｒｙ  Ｉｎｉｔｉａｔｉｏｎ）パケットを送信し（Ｓ３０１）、接続を要求する。
【００９０】
通信装置１は、端末２からＰＡＤＩパケットを受信することに応じて、ＮＤＩＳ接続により、モデム接続を開始する（Ｓ３０２）。
【００９１】
通信装置１は、モデム接続が完了したことに応じて（Ｓ３０３）、ＩＰアドレスを取得するために、ＤＨＣＰ  Ｄｉｓｃｏｖｅｒｙメッセージをネットワーク３に対して送信する（Ｓ３０４）。
【００９２】
通信装置１は、ネットワーク３からモデムを介して、割り当てる候補となるＩＰアドレスを含むＤＨＣＰ  Ｏｆｆｅｒメッセージを受信する（Ｓ３０５）。その後、通信装置１は、ネットワーク３に対して、ＩＰアドレスを正式に取得要求するために、ＤＨＣＰ  ＲＥＱＵＥＳＴメッセージを送信する（Ｓ３０６）。
【００９３】
通信装置１は、ネットワーク３からモデムを介して、ＤＨＣＰ  ＡＣＫ（ＡＣＫｎｏｗｅｍｅｎｔ）メッセージを受信し（Ｓ３０７）、ＩＰアドレスを取得する。なお、通信装置１は、取得したＩＰアドレスをＩＰ記憶部１５に記憶してもよい。
【００９４】
通信装置１は、端末２に対してＰＡＤＯ（Ｔｈｅ  ＰＰＰｏＥ  Ａｃｔｉｖｅ  Ｄｉｓｃｏｖｅｒｙ  Ｏｆｆｅｒ）パケットを通知し、ＰＰＰｏＥによる接続を継続させる（Ｓ３０８）。
【００９５】
端末２は、ＰＡＤＯを受信したことに応じて、通信装置１に対して、セッションの確立を依頼するために、ＰＡＤＲ（Ｔｈｅ  ＰＰＰｏＥ  Ａｃｔｉｖｅ  Ｄｉｓｃｏｖｅｒｙ  Ｒｅｑｕｅｓｔ）パケットを送信する（Ｓ３０９）。
【００９６】
通信装置１は、端末２からＰＡＲＤパケットを受信したことに応じて、端末２に対して、セッションＩＤを通知するために、ＰＡＤＳ（Ｔｈｅ  ＰＰＰｏＥ  Ａｃｔｉｖｅ  Ｄｉｓｃｏｖｅｒｙ  Ｓｅｓｓｉｏｎ−ｃｏｎｆｉｒｍａｔｉｏｎ）パケットを送信する（Ｓ３１０）。
【００９７】
端末２は、ＰＡＤＳパケットを受信したことに応じて、通信装置１との間で行うデータの転送で必要となる所定の条件を決定するために、通信装置１に対してＬＣＰ（Ｌｉｎｋ  Ｃｏｎｔｒｏｌ  Ｐｒｏｔｏｃｏｌ）パケットを送信し（Ｓ３１１）、通信装置１との間でリンクを確立する（Ｓ３１２）。
【００９８】
端末２は、通信装置１との間でリンクを確立したことに応じて、通信装置１に対して、端末２の認証を要求する（Ｓ３１３）。
【００９９】
端末２は、通信装置１が端末２の認証を完了したことに応じて（Ｓ３１４）、通信装置１に対してＩＰＣＰ接続によりＩＰアドレスを要求する（Ｓ３１５）。
【０１００】
通信装置１は、端末２からＩＰアドレスを要求されたことに応じて、端末２に対してＩＰアドレスを通知し（Ｓ３１６）、ネットワーク接続処理を完了する。なお、通信装置１は、ＩＰアドレス記憶部１５に記憶されたＩＰアドレスを、端末２に通知してもよい。
【０１０１】
図１０は、本発明の第３の実施形態の他の動作例を示すシーケンス図である。
【０１０２】
図１０のシーケンス図は、通信装置１と端末２との間の通信形式はＤＨＣＰであり、モデムの接続形式はＰＰＰ接続である場合の動作例である。
【０１０３】
本発明の第３の実施形態において、通信装置１とＤＨＣＰにより接続する端末２は、ＤＨＣＰ  Ｄｉｓｃｏｖｅｒｙメッセージを通信装置１に対して送信し（Ｓ４０１）、ＩＰアドレスを要求する。
【０１０４】
なお、端末２は、通信装置１からＩＰアドレスを取得するまで、所定の周期で、通信装置１に対してＤＨＣＰ  Ｄｉｓｃｏｖｅｒｙメッセージを送信する（Ｓ４０１）。通信装置１は、端末２に対して、ＩＰアドレスを通知する前に、再度ＤＨＣＰ  Ｄｉｓｃｏｖｅｒｙメッセージを受信したことに応じて、ＤＨＣＰ  ＮＡＫを送信する（Ｓ４０２）。
【０１０５】
通信装置１は、端末２からＤＨＣＰ  Ｄｉｓｃｏｖｅｒｙメッセージを受信したことに応じて、ＰＰＰ接続により、モデム接続を開始する（Ｓ４０３）。
【０１０６】
通信装置１は、モデム接続が完了したことに応じて（Ｓ４０４）、ＩＰアドレスを取得するために、ＰＡＤＩパケットを送信する（Ｓ４０５）。
【０１０７】
通信装置１は、ネットワーク３からモデムを介してＰＡＤＯパケットを受信したことに応じて（Ｓ４０６）、ネットワーク３に対して、セッションの確立を依頼するために、ＰＡＤＲパケットを送信する（Ｓ４０７）。
【０１０８】
通信装置１は、ネットワーク３からセッションＩＤを通知するＰＡＤＳパケットを受信する（Ｓ４０８）。
【０１０９】
通信装置１は、ＰＡＤＳパケットを受信したことに応じて、ネットワーク３との間で行うデータの転送で必要となる所定の条件を決定するために、ネットワーク３に対してＬＣＰパケットを送信し（Ｓ４０９）、リンクを確立する（Ｓ４１０）。
【０１１０】
通信装置１は、リンクを確立したことに応じて、通信装置１の認証を要求する（Ｓ４１１）。
【０１１１】
通信装置１は、認証を完了したことに応じて（Ｓ４１２）、ネットワーク３に対してＩＰＣＰ接続によりＩＰアドレスを要求する（Ｓ４１３）。
【０１１２】
通信装置１は、ネットワーク３から、ＩＰアドレスを取得する（Ｓ４１４）。なお、通信装置１は、取得したＩＰアドレスをＩＰ記憶部１５に記憶してもよい。
【０１１３】
通信装置１は、端末２に割り当てる候補となるネットワーク３から取得したＩＰアドレスを含むＤＨＣＰ  Ｏｆｆｅｒメッセージを受信する（Ｓ４１５）。その後、端末２は、通信装置１に対して、ＩＰアドレスを正式に取得要求するために、ＤＨＣＰ  ＲＥＱＵＥＳＴメッセージを送信する（Ｓ４１６）。
【０１１４】
通信装置１は、端末２に対してＤＨＣＰ  ＡＣＫメッセージを送信し（Ｓ４１７）、ＩＰアドレスを通知して、ネットワーク接続処理を完了する。なお、通信装置１は、ＩＰアドレス記憶部１５に記憶されたＩＰアドレスを、端末２に通知してもよい。
【０１１５】
上記のとおり、本発明の第３の実施形態の通信装置１は、ＰＰＰ−ＤＨＣＰ変換アダプタとして機能する。したがって、通信装置１が接続するＰＰＰ接続やＮＤＩＳ接続等のモデムの接続形式に応じて、端末２がコンフィグ変更やファームウェア変更を行うことなく、ネットワーク３からアドレスを取得することが可能となる。
【０１１６】
したがって、本発明の第３の実施形態において、端末２は、通信装置１がアドレス解決の際にモデムの接続方式に対応した通信形式（第２の通信形式）に応じてコンフィグ変更やファームウェア変更を行うことなく、アドレスを取得することができる。
【０１１７】
＜第４の実施形態＞
本発明の第４の実施形態について、図面を参照して説明する。第４の実施形態において、通信装置のコンピュータ、ＣＰＵ（Ｃｅｎｔｒａｌ  Ｐｒｏｃｅｓｓｉｎｇ  Ｕｎｉｔ）又はＭＰＵ（Ｍｉｃｒｏ−Ｐｒｏｃｅｓｓｉｎｇ  Ｕｎｉｔ）等は、上述した各実施形態の機能を実現するソフトウェア（プログラム）を実行する。なお、本発明の第４の実施形態において、該ソフトウェア（プログラム）を実行する装置は、通信装置に限られず、どのような装置であってもよい。
【０１１８】
図１１に示すように、本発明の第４の実施経緯において、通信装置１は、例えばＣＤ−Ｒ（Ｃｏｍｐａｃｔ  Ｄｉｓｃ  Ｒｅｃｏｒｄａｂｌｅ）等の各種記憶媒体又はネットワークを介して、上述した各実施形態の機能を実現するソフトウェア（プログラム）を取得する。通信装置１が取得するプログラム、又は、該プログラムを記憶した記憶媒体は、本発明を構成することになる。なお、該ソフトウェア（プログラム）は、例えば、通信装置１に含まれる所定の記憶部（図示しない）に、予め記憶されていてもよい。
【０１１９】
通信装置１のコンピュータ、ＣＰＵ又はＭＰＵ等は、取得したソフトウェア（プログラム）のプログラムコードを読み出して実行する。したがって、該通信装置１は、上述した各実施形態における通信装置の処理と同一の処理を実行する。
【０１２０】
本発明の第４の実施形態によれば、通信装置１のコンピュータ、ＣＰＵ又はＭＰＵ等に実現するためのプログラムといった用途に適用できる。
【０１２１】
上記の実施形態の一部又は全部は、以下の付記のようにも記載されうるが、以下には限られない。
【０１２２】
［付記１］
端末から第１の通信形式により接続の要求を受ける第１の通信部と、
ネットワークから第２の通信形式によりアドレスの通知を受ける第２の通信部と、
前記第１の通信部が前記接続の要求を受けたことに応じて、前記第２の通信形式により、前記第２の通信部を介してアドレスを取得する接続部と、を有し、
前記接続部は、前記ネットワークから取得した前記アドレスを、前記第１の通信形式により前記端末に通知する
ことを特徴とする通信装置。
【０１２３】
［付記２］
前記接続部は、
前記ネットワークと前記第２の通信部との間の通信形式を判定し、前記第２の通信形式として前記判定した通信形式により、前記アドレスを取得する
ことを特徴とする付記１に記載の通信装置。
【０１２４】
［付記３］
前記第２の通信部は、モデムを介して、前記ネットワークと接続し、
前記接続部は、前記モデムの接続形式に対応する前記第２の通信方式により、アドレスを取得する
ことを特徴とする付記１又は２に記載の通信装置。
【０１２５】
［付記４］
前記接続部は、前記モデムの接続形式がＰＰＰ接続であることに応じて、前記第２の通信形式としてＩＰＣＰによりアドレスを取得し、前記モデムの接続形式がＮＤＩＳ接続であることに応じて、前記第２の通信形式としてＤＨＣＰによりアドレスを取得する
ことを特徴と付記３に記載の通信装置。
【０１２６】
［付記５］
前記接続部は、前記モデムの接続形式を判定し、前記判定したモデムの接続形式に対応する前記第２の通信形式により、アドレスを取得する
ことを特徴とする付記３又は４に記載の通信装置。
【０１２７】
［付記６］
前記ネットワークから取得したアドレスを記憶する記憶部をさらに有し、
前記接続部は、前記記憶部に記憶したアドレスを前記端末に通知する
ことを特徴とする付記１乃至５のいずれか１項に記載の通信装置。
【０１２８】
［付記７］
前記第１の通信部は、前記接続の要求として、アドレスの要求を受け、
前記接続部は、前記端末に前記アドレスを通知するまでに前記アドレスの要求を再度受けたことに応じて、前記記憶部に記憶したアドレスを前記端末に通知する
ことを特徴とする付記６に記載の通信装置。
【０１２９】
［付記８］
前記第１の通信部は、前記接続の要求として、アドレスの要求を受け、
前記接続部は、前記端末に前記アドレスを通知するまでに前記アドレスの要求を再度受けたことに応じて、前記端末に対してアドレスの要求に応答できないことを通知する
ことを特徴とする付記１乃至７のいずれか１項に記載の通信装置。
【０１３０】
［付記９］
請求項１乃至請求項８のいずれか１項に記載の通信装置と、
前記端末と、を含むことを特徴とする通信システム。
【０１３１】
［付記１０］
端末から第１の通信方式により接続の要求を受け、
前記接続の要求を受けたことに応じて、ネットワークから第２の通信形式によりアドレスを取得し、
前記取得したアドレスを、前記第１の通信形式により前記端末に通知する
ことを特徴とする通信方法。
【０１３２】
［付記１１］
前記ネットワークと前記第２の通信部との通信形式を判定し、
前記第２の通信形式として前記判定した通信形式により、アドレスを取得する
ことを特徴とする付記１０に記載の通信方法。
【０１３３】
［付記１２］
モデムを介して、前記ネットワークと接続し、
前記モデムの接続形式に対応する前記第２の通信方式により、アドレスを取得する
ことを特徴とする付記１０又は１１に記載の通信方法。
【０１３４】
［付記１３］
前記モデムの接続形式がＰＰＰ接続であることに応じて、前記第２の通信形式としてＩＰＣＰによりアドレスを取得し、
前記モデムの接続形式がＮＤＩＳ接続であることに応じて、前記第２の通信形式としてＤＨＣＰによりアドレスを取得する
ことを特徴とする付記１２に記載の通信方法。
【０１３５】
［付記１４］
前記モデムの接続方式を判定し、
前記判定したモデムの接続形式に対応する前記第２の通信形式により、前記第２の通信部を介してアドレスを取得する
ことを徳緒とする付記１２又は１３に記載の通信方法。
【０１３６】
［付記１５］
前記ネットワークから取得したアドレスを記憶し、
前記記憶部に記憶したアドレスを前記端末に通知する
ことを特徴とする付記１０乃至１４のいずれか１つに記載の通信方法。
【０１３７】
［付記１６］
前記接続の要求として、アドレスの要求を受け、
前記端末に前記アドレスを通知するまでの間に、前記端末から前記アドレスの要求を再度受けたことに応じて、前記記憶部に記憶したアドレスを前記端末に通知する
ことを特徴とする付記１５に記載の通信方法。
【０１３８】
［付記１７］
前記接続の要求として、アドレスの要求を受け、
前記端末に前記アドレスを通知するまでに前記アドレスの要求を再度受けたことに応じて、前記端末に対してアドレスの要求に応答できないことを通知する
ことを特徴とする付記１０乃至１６のいずれか１つに記載の通信方法。
【０１３９】
［付記１８］
端末から第１の通信方式により接続の要求を受ける処理と、
前記接続の要求を受けたことに応じて、ネットワークから第２の通信形式によりアドレスを取得する処理と、
前記取得したアドレスを、前記第１の通信形式により前記端末に通知する処理と
をコンピュータに実行させることを特徴とするプログラム。
【０１４０】
［付記１９］
前記ネットワークと前記第２の通信部との通信形式を判定する処理と、
前記第２の通信形式として前記判定した通信形式により、アドレスを取得する処理と
を含むことを特徴とする付記１８に記載のプログラム。
【０１４１】
［付記２０］
モデムを介して、前記ネットワークと接続する処理と、
前記モデムの接続形式に対応する前記第２の通信方式により、アドレスを取得する処理と
を含むことを特徴とする付記１８に記載のプログラム。
【０１４２】
［付記２１］
前記モデムの接続形式がＰＰＰ接続であることに応じて、前記第２の通信形式としてＩＰＣＰによりアドレスを取得する処理と、
前記モデムの接続形式がＮＤＩＳ接続であることに応じて、前記第２の通信形式としてＤＨＣＰによりアドレスを取得する処理と
を含むことを特徴と付記２０に記載の通信方法。
【０１４３】
［付記２２］
前記モデムの接続形式を判定する処理と、
前記判定したモデムの接続形式に対応する前記第２の通信方式により、アドレスを取得する処置と
を含むことを特徴とする付記２０又は２１に記載のプログラム。
【０１４４】
［付記２３］
前記ネットワークから取得したアドレスを記憶する処理と、
前記記憶部に記憶したアドレスを前記端末に通知する処理と
ことを特徴とする付記１８乃至２２のいずれか１つに記載のプログラム。
【０１４５】
［付記２４］
前記接続の要求として、アドレスの要求を受ける処理と、
前記端末に前記アドレスを通知するまでの間に、前記端末から前記アドレスの要求を再度受けたことに応じて、前記記憶部に記憶したアドレスを前記端末に通知する処理と
ことを特徴とする付記２３に記載のプログラム。
【０１４６】
［付記２５］
前記接続の要求として、アドレスの要求を受ける処理と、
前記端末に前記アドレスを通知するまでに前記アドレスの要求を再度受けたことに応じて、前記端末に対してアドレスの要求に応答できないことを通知する処理と
ことを特徴とする付記１８乃至２４のいずれか１つに記載のプログラム。
【符号の説明】
【０１４７】
１  通信装置
２  端末
３  ネットワーク
１０  第１の通信部
１１  接続部
１２  第２の通信部
１３  記憶部
１４  モデム接続機能部
１５  ＩＰアドレス記憶部
１１０  種別判定部
１１１  接続処理部
１４０  モデム種別判定部
１４１  モデム接続処理部
【図１】
2014236378.tif 000003
【図２】
2014236378.tif 000004
【図３】
2014236378.tif 000005
【図４】
2014236378.tif 000006
【図５】
2014236378.tif 000007
【図６】
2014236378.tif 000008
【図７】
2014236378.tif 000009
【図８】
2014236378.tif 000010
【図９】
2014236378.tif 000011
【図１０】
2014236378.tif 000012
【図１１】
2014236378.tif 000013